(57)【要約】      （修正有）【課題】収納されている印刷物の一部を視認できないように構成することで、印刷物の収納された封筒等を開封したいと思わせる文具セットを提供する。【解決手段】少なくとも絵柄、文字のいずれかの印刷対象を印刷した印刷物と、該印刷物を収納する透明な材質からなる収納部から構成される文具セットにおいて、前記印刷対象の一部を視認できないように、前記収納部に半透明なマスクを付して文具セットを構成する。【選択図】図１
0003155589.tif 000002
【実用新案登録請求の範囲】
【請求項１】
少なくとも絵柄、文字のいずれかの印刷対象を印刷した印刷物と、該印刷物を収納する透明な材質からなる収納部から構成される文具セットにおいて、
前記印刷対象の一部を視認できないように、前記収納部に半透明なマスクを付したことを特徴とする文具セット。
【請求項２】
前記印刷物が前記収納部に収納された際に、前記マスクと重なる前記印刷対象の部分の一部分のみが、視認できないようになることを特徴とする請求項１記載の文具セット。
【請求項３】
前記収納部から前記印刷物を出す際に、前記印刷物が前記収納部に収納された際には視認できなかった印刷対象の部分が、視認できるようになることを特徴とする請求項１記載の文具セット。
【請求項４】
前記マスクは、前記印刷対象を構成する色成分のうちのいずれかの色成分と、同一となる色成分を付したものであることを特徴とする請求項１から３いずれか１項記載の文具セット。
【請求項５】
前記収納部は、更に、前記収納部から前記印刷物を出すことにより、視認できない印刷対象の一部が視認できるようになることを示唆するメッセージを付したものであることを特徴とする請求項１から４いずれか１項記載の文具セット。
【請求項６】
前記印刷物は、前記印刷対象の一部が視認できない際に、ユーザに対して、前記視認できない印刷対象の一部を視認したいと促す印刷対象を印刷されたものであることを特徴とする請求項１から５いずれか１項記載の文具セット。
【請求項７】
前記収納部は、封筒であることを特徴とする請求項１から６いずれか１項記載の文具セット。
【請求項８】
前記収納部は、ファイルであることを特徴とする請求項１から６いずれか１項記載の文具セット。
【考案の詳細な説明】
【技術分野】
【０００１】
本考案は文具セットに関し、特に収納部にマスクを付した文具セットに関するものである。
【背景技術】
【０００２】
従来、ＯＨＰシート用透明封筒等において、ＯＨＰシートを収納する透明封筒の少なくとも一部に不透明なマスク手段を設ける構成のものが知られている（特許文献１、特開平６−２８９４９３号公報）。
【０００３】
このようなＯＨＰシートを収納した封筒は、ＯＨＰシートの印字領域を囲む非印字領域をマスクすることにより、封筒のままスクリーンに投影することを可能とし、非印字領域の部分がスクリーンに投影されることなく、高コントラスト画像によるプレゼンテーションを可能にしている。
【先行技術文献】
【特許文献】
【０００４】
【特許文献１】特開平６−２８９４９３号公報
【考案の概要】
【考案が解決しようとする課題】
【０００５】
しかしながら、上記特許文献１に記載の封筒は、利用者がＯＨＰシートを封筒に入れたままスクリーンに投影できるという利点を備えるものである。そこで、特許文献１に記載の封筒は、開封率を積極的に向上させる要請の高い宣伝・広告用ダイレクトメール等に用いる郵便物封筒等には適していない。
【０００６】
本考案はかかる事情に鑑みてなされたものであり、収納されている印刷物の一部を視認できないように構成することで、印刷物の収納された封筒等を開封したいと思わせる文具セットを提供することを目的とするものである。
【課題を解決するための手段】
【０００７】
本考案の文具セットは、少なくとも絵柄、文字のいずれかの印刷対象を印刷した印刷物と、印刷物を収納する透明な材質からなる収納部から構成される文具セットにおいて、印刷対象の一部を視認できないように、収納部に半透明なマスクを付したことを特徴とするものである。
【０００８】
本考案の文具セットは、印刷物が収納部に収納された際に、マスクと重なる印刷対象の部分の一部分のみが、視認できないようになるものであってもよい。
【０００９】
本考案の文具セットは、収納部から印刷物を出す際に、印刷物が収納部に収納された際には視認できなかった印刷対象の部分が、視認できるようになるものであってもよい。
【００１０】
「印刷物」は、少なくとも絵柄、文字のいずれかの印刷対象を印刷したものであって、印刷対象の一部が視認できない際に、ユーザに対して、視認できない印刷対象の一部を視認したいと促す印刷対象を印刷されたものであってもよい。
【００１１】
「収納部」は、印刷物を収納する透明な材質からなるものであって、半透明なマスクを付したマスク領域部を備えるものであって、更に、収納部から印刷物を出すことにより、視認できない印刷対象の一部が視認できるようになることを示唆するメッセージを付したものであってもよい。また、収納部は、封筒またはファイルであってもよい。
【００１２】
「マスク」は、収納部に付された印刷対象の一部を視認できないようにするものであって、例えば、印刷対象を構成する色成分のうちのいずれかの色成分と、同一となる色成分を付したものであってもよい。
【考案の効果】
【００１３】
本考案の文具セットによれば、印刷対象の一部を視認できないように、収納部に半透明なマスクを付したことにより、宣伝・広告用ダイレクトメール等に用いる郵便物封筒やクリアファイル等の開封率を向上させることができる。
【図面の簡単な説明】
【００１４】
【図１】絵柄を表す印刷物を収納された封筒の一例を示す平面図である。
【図２】絵柄を表す印刷物を開封された封筒の一例を示す平面図である。
【図３】文字を表す印刷物を収納された封筒の一例を示す平面図である。
【図４】文字を表す印刷物を開封された封筒の一例を示す平面図である。
【考案を実施するための形態】
【００１５】
以下、本考案にかかる文具セットの一実施形態を、図面を参照して詳細に説明する。
尚、以下の実施の形態では、本考案における文具セットの収納部として封筒を例に説明するが、本考案の適用範囲はこれに限定されず、例えば、クリアファイル、その他印刷物を収納できる文房具に対しても適用可能である。
【００１６】
本実施形態は、少なくとも絵柄、文字のいずれかの印刷対象を印刷した印刷物と、印刷物を収納する透明な材質からなる収納部から構成される文具セットにおいて、印刷対象の一部を視認できないように、収納部に半透明なマスクを付したことを特徴とする文具セットである。
【００１７】
まず、第一の実施形態である絵柄を表す印刷物を収納された封筒について説明する。図１は、印刷物を収納した封筒の一例を示す平面図である。封筒１は、透明な材質からなるものであって、赤色からなる半透明なマスク１０（マスク領域部）と、『開くと見える』等のメッセージ１１が付されている。また、印刷物２には、女性を表す絵柄が印刷されている。図１に示すように、封筒１に印刷部２が収納された状態では、絵柄の一部分がマスク１０により、視認できないようになっている。
【００１８】
図２は、図１の実施形態の封筒１から印刷物２を出した状態の一例を示す平面図である。封筒１には、同様に、マスク１０と、メッセージ１１が付されている。図２では、印刷物２における女性を表す絵柄２１におけるバスト２１ａと、ウエスト２１ｂと、ヒップ２１ｃが、マスク１０が外れ、封筒１の透明部分を通して視認できる。
【００１９】
封筒１に印刷部２が収納された図１の状態では、バスト２１ａ及びヒップ２１ｃは、マスク１０と重なることにより視認できず、一方、ウエスト２１ｂは、マスク１０越しに視認が可能である。マスク１０の中央部領域は、マスク１０のその他の領域に比べ、薄い色合いで、しかもウエスト２１ｂの色（肌色）の光が透過し易い色合いとなっている。そこで、図１においても、ウエスト２１ｂは、図２におけるよりは不鮮明であるが、何であるかが判明できる程度には視認できる。図１におけるマスク１０と重ならない絵柄は、封筒１が透明であるので、十分に視認可能である。
【００２０】
図２に示すウエスト２１ｂは、バスト２１ａ及びヒップ２１ｃに比して、色が濃く表されている。これは、バスト２１ａ及びヒップ２１ｃはＲ（赤）Ｇ（緑）Ｂ（青）という色彩成分におけるＲ成分からなる色にのみで表されているからである。マスク１０における中央部の薄い色合いの領域を除く領域では、Ｒ成分を透過させない色で着色してある。そのため、図１に示すように封筒１に印刷部２が収納された状態では、絵柄２１のバスト２１ａ及びヒップ２１ｃがマスク１０と重なることにより、視認できないようになる。
【００２１】
このように、印刷対象の部分だけを選択的に視認可能にし、或いはマスクするために、印刷物２のバスト２１ａ及びヒップ２１ｃの色と、封筒１のマスク１０の色合い及び色の濃さとの兼ね合いにより、封筒１に収納された印刷物２の印刷対象の印刷における色彩（特に色成分）を選択することが要となる。
【００２２】
次に、第二の実施形態である文字を表す印刷物を収納された封筒について説明する。
図３は印刷物を収納された封筒の一例を示す平面図である。封筒１には、透明な材質からなるものであって、赤色からなる半透明なマスク１０（マスク領域部）と、『赤いシートで正解が隠されています。開封してチェック！』という視認できない印刷対象の一部が視認できるようになることを示唆するメッセージが付されている。また、印刷物３には、漢字の読み方を質問する文字が印刷されている。
【００２３】
印刷物３には、漢字３１ａと、該漢字３１ａの読み方を質問した文字が印刷されている。図３に示すように、封筒１に印刷部３が収納された状態では、上記質問の正解（読み方）がマスク１０により、視認できないようになっている。
【００２４】
一方、図４は封筒１から印刷物３を出した状態の一例を示す平面図である。封筒１には、同様に、マスク１０（マスク領域部）と、『赤いシートで正解が隠されています。開封してチェック！』という視認できない印刷対象の一部が視認できるようになることを示唆するメッセージが付されている。また、印刷物３には、同様に文字が印刷されている。
【００２５】
質問と正解を表す文字は、漢字３１ａと、読み３１ｂとを有する。図４に示す読み３１ｂは、ＲＧＢのＲ成分からなる色にのみ表されているものである。
そのため、図３に示すように封筒１に印刷部３が収納された状態では、読み３１ｂのみがマスク１０と重なることにより、視認できなくなっており、『正解はこちら』等のメッセージはマスク越しに視認が可能であり、その他の文字（例えば、漢字３１ａ）は、封筒１が透明であるため、十分に視認可能である。
【００２６】
このように、印刷物３の読み３１ｂの色と、封筒１のマスク１０の色合い、色の濃さの兼ね合いにより、封筒１に収納された印刷物３の印刷対象の一部を印刷することが要となる。
【００２７】
以上、第一の実施形態（絵柄）及び第二の実施形態（文字）においては、収納部を封筒として説明したが、収納部が透明のファイル（クリアファイル）等であってもよい。また、第一の実施形態（絵柄）及び第二の実施形態（文字）のマスク１０は、赤色（ＲＧＢのＲ成分）として説明したが、ＲＧＢその他の色または、ＲＧＢを所定の比率で混合した色であってもよい。その際、印刷物が収納部（例えば、封筒、ファイル）に収納された際に、視認できない印刷対象の部分を、同様にＲＧＢその他の色または、ＲＧＢを所定の比率で混合した色にて印刷する必要がある。
【００２８】
また、第一の実施形態の絵柄２１は、女性であったが、男性または利用者の興味を引く物（例えば、乗り物、飛行機、建造物、動物、風景）であってもよい。
【００２９】
以上、説明したように、本考案の文具セットの本実施形態によれば、印刷対象の一部を視認できないように、収納部に半透明なマスクを付することにより、利用者にとっては、印刷対象のその他の部分を視認できることが、かえってマスクの下に視認できないものを見たいと期待させ、開封を促すことができる。
【符号の説明】
【００３０】
１      封筒
２      印刷物（絵柄）
３      印刷物（文字）
１０    マスク
１１    メッセージ
２１    絵柄
２１ａ  バスト
２１ｂ  ウエスト
２１ｃ  ヒップ
３１    文字
３１ａ  漢字
３１ｂ  読み
【図１】
0003155589.tif 000003
【図２】
0003155589.tif 000004
【図３】
0003155589.tif 000005
【図４】
0003155589.tif 000006
【手続補正書】
【提出日】平成21年6月16日(2009.6.16)
【手続補正１】
【補正対象書類名】図面
【補正対象項目名】図１
【補正方法】変更
【補正の内容】
【図１】
0003155589.tif 000007
【手続補正２】
【補正対象書類名】図面
【補正対象項目名】図２
【補正方法】変更
【補正の内容】
【図２】
0003155589.tif 000008
【手続補正書】
【提出日】平成21年9月7日(2009.9.7)
【手続補正１】
【補正対象書類名】図面
【補正対象項目名】図１
【補正方法】変更
【補正の内容】
【図１】
0003155589.tif 000009
【手続補正２】
【補正対象書類名】図面
【補正対象項目名】図２
【補正方法】変更
【補正の内容】
【図２】
0003155589.tif 000010